(57)【要約】【解決課題】記録用紙のカールの発生を高精度に予測し、的確にカールの発生を抑制するための処理を行うようにすることができるようにする。【解決手段】入力された画像データに基づいて、カバレッジを算出し（１００）、インク滴吐出領域の縦方向の長さを算出し（１０２）、吐出領域の縦方向の長さと、記録用紙の縦方向の長さとに基づいて、前後端の余白部分の余白割合を算出し（１０４）、給紙トレイ内の湿度を検出する（１０６）。そして、余白割合が２０％以上で、印刷された記録用紙に十分な余白がある場合には、カールが発生しないと判定し（１０８）、一方、余白割合が２０％未満であり、記録用紙が普通紙であり、カバレッジが３０％より大きく、湿度が８０％未満であると（１０８〜１１４）、印刷された記録用紙にカールが発生すると判定し、カール抑制処理を行い（１２０、１２４、１２６）、画像データに基づいて、印刷処理を行う（１２８）。【選択図】図３
2007307763.tif 000002
【特許請求の範囲】
【請求項１】
記録用紙に液滴を吐出するための液滴吐出ヘッドと、
入力された画像データに基づいて、前記液滴吐出ヘッドによって前記記録用紙に液滴が吐出される領域の大きさを算出する吐出領域算出手段と、
前記吐出領域算出手段によって算出された領域の大きさと前記記録用紙の大きさとに基づいて、前記記録用紙の余白割合を算出する余白割合算出手段と、
前記余白割合算出手段によって算出された余白割合が所定の余白割合未満であると、前記液滴吐出ヘッドの液滴吐出によって画像が記録された前記記録用紙において用紙カールが発生すると判定する判定手段と、
を含む液滴吐出装置。
【請求項２】
前記吐出領域算出手段は、前記記録用紙の縦方向及び横方向の何れか一方向における前記領域の長さを算出し、
前記余白割合算出手段は、前記吐出領域算出手段によって算出された前記領域の長さと前記記録用紙の前記一方向の長さとに基づいて、前記記録用紙の余白割合を算出する請求項１記載の液滴吐出装置。
【請求項３】
前記記録用紙を収納する用紙トレイ内の湿度を検出する湿度検出手段を更に含み、
前記判定手段は、前記余白割合算出手段によって算出された余白割合が所定の余白割合未満であり、かつ、前記湿度検出手段によって検出された湿度が所定の湿度未満であると、前記液滴吐出ヘッドの液滴吐出によって画像が記録された前記記録用紙において用紙カールが発生すると判定する請求項１又は２記載の液滴吐出装置。
【請求項４】
前記記録用紙は、複数種類であって、
前記判定手段は、前記余白割合算出手段によって算出された余白割合が所定の余白割合未満であり、かつ、前記記録用紙が所定の種類であると、前記液滴吐出ヘッドの液滴吐出によって画像が記録された前記記録用紙において用紙カールが発生すると判定する請求項１又は２記載の液滴吐出装置。
【請求項５】
記録用紙に液滴を吐出するための液滴吐出ヘッドと、
入力された画像データに基づいて、前記液滴吐出ヘッドによって前記記録用紙に液滴が吐出される領域の大きさを算出する吐出領域算出手段と、
前記吐出領域算出手段によって算出された領域の大きさと前記記録用紙の大きさとに基づいて、前記記録用紙の吐出領域割合を算出する吐出領域割合算出手段と、
前記吐出領域割合算出手段によって算出された吐出領域割合が所定の領域割合より大きいと、前記液滴吐出ヘッドの液滴吐出によって画像が記録された前記記録用紙において用紙カールが発生すると判定する判定手段と、
を含む液滴吐出装置。
【請求項６】
前記吐出領域算出手段は、前記記録用紙の縦方向及び横方向の何れか一方向に対する前記領域の長さを算出し、
前記吐出領域割合算出手段は、前記吐出領域算出手段によって算出された前記領域の長さと前記記録用紙の前記一方向の長さとに基づいて、前記記録用紙の吐出領域割合を算出する請求項５記載の液滴吐出装置。
【請求項７】
前記記録用紙を収納する用紙トレイ内の湿度を検出する湿度検出手段を更に含み、
前記判定手段は、前記吐出領域割合算出手段によって算出された吐出領域割合が所定の領域割合より大きく、かつ、前記湿度検出手段によって検出された湿度が所定の湿度未満であると、前記液滴吐出ヘッドの液滴吐出によって画像が記録された前記記録用紙において用紙カールが発生すると判定する請求項５又は６記載の液滴吐出装置。
【請求項８】
前記記録用紙は、複数種類であって、
前記判定手段は、前記吐出領域割合算出手段によって算出された吐出領域割合が所定の領域割合より大きいであり、かつ、前記記録用紙が所定の種類であると、前記液滴吐出ヘッドの液滴吐出によって画像が記録された前記記録用紙において用紙カールが発生すると判定する請求項５又は６記載の液滴吐出装置。
【請求項９】
前記判定手段によって、前記液滴吐出ヘッドの液滴吐出によって画像が記録された前記記録用紙において用紙カールが発生すると判定されると、前記用紙カールが発生することを抑制するカール抑制処理を行うカール抑制手段を更に含む請求項１〜請求項８の何れか１項記載の液滴吐出装置。
【請求項１０】
前記液滴は、インク又は処理液からなり、
前記カール抑制手段は、前記液滴吐出ヘッドによって吐出される前記インク及び前記処理液の量を減少させる請求項９記載の液滴吐出装置。
【請求項１１】
前記カール抑制手段は、前記液滴吐出ヘッドによって前記記録用紙に前記液滴が吐出されるドット数を減らすように、前記画像データを補正する請求項１０記載の液滴吐出装置。
【請求項１２】
前記処理液は、前記液滴の成分を凝集させる作用及び不溶化させる作用の少なくとも一方を有する水溶液であることを特徴とする請求項１０記載の液滴吐出装置。
【請求項１３】
前記カール抑制手段は、前記液滴吐出ヘッドによって前記記録用紙に前記液滴が吐出される領域を縮小するように、前記画像データを補正する請求項１０記載の液滴吐出装置。
【請求項１４】
予め定められた複数の画像記録モードから何れかの画像記録モードを設定する画像記録モード設定手段を更に含み、
前記カール抑制処理は、複数であって、
前記カール抑制手段は、前記液滴吐出ヘッドの液滴吐出によって画像が記録された前記記録用紙において用紙カールが発生すると判定されると、前記画像記録モード設定手段によって設定された画像記録モードに応じて、前記複数のカール抑制処理の何れかを行う請求項９〜請求項１３の何れか１項記載の液滴吐出装置。
【請求項１５】
前記液滴吐出ヘッドの吐出領域は、前記記録用紙幅とすることを特徴とする請求項１〜請求項１４の液滴吐出装置。
【請求項１６】
記録用紙に液滴を吐出するための液滴吐出ヘッドを含む液滴吐出装置における液滴吐出方法であって、
入力された画像データに基づいて、前記液滴吐出ヘッドによって前記記録用紙に液滴が吐出される領域の大きさを算出し、
前記算出された領域の大きさと前記記録用紙の大きさとに基づいて、前記記録用紙の余白割合を算出し、
前記算出された余白割合が所定の余白割合未満であると、前記液滴吐出ヘッドの液滴吐出によって画像が記録された前記記録用紙において用紙カールが発生すると判定することを特徴とする液滴吐出方法。
【請求項１７】
記録用紙に液滴を吐出するための液滴吐出ヘッドを含む液滴吐出装置における液滴吐出方法であって、
入力された画像データに基づいて、前記液滴吐出ヘッドによって前記記録用紙に液滴が吐出される領域の大きさを算出し、
前記算出された領域の大きさと前記記録用紙の大きさとに基づいて、前記記録用紙の吐出領域割合を算出し、
前記算出された吐出領域割合が所定の領域割合より大きいと、前記液滴吐出ヘッドの液滴吐出によって画像が記録された前記記録用紙において用紙カールが発生すると判定することを特徴とする液滴吐出方法。
【発明の詳細な説明】
【技術分野】
【０００１】
この発明は、液滴吐出装置及び液滴吐出方法に係り、特に、画像データに基づいて記録用紙に液滴を吐出する液滴吐出装置及び液滴吐出方法に関する。
【背景技術】
【０００２】
従来、インクジェットプリンタなどの液滴吐出装置では、インク滴吐出ヘッドによって記録用紙にインク滴を吐出させて、画像を記録している。インク滴が水性インクである場合には、記録用紙の表面において、インク滴が吐出された部分が膨潤し、表面と裏面とでは、表面の長さが変化し、その結果、記録用紙にカールが発生する。また、インク滴の水分が蒸発すると、インク滴が吐出された部分が収縮し、逆方向にカールしてしまう。
【０００３】
記録用紙においてカールが発生することを防止する方法として、画像濃度に基づいて、記録材による含有水分を調節し、記録材のカールを補正するインクジェット記録装置が知られている（特許文献１）。
【０００４】
また、両面印刷における裏写り、カール、コックリングのため、両面印刷の単位領域当たりの最大ドット数が片面印刷の単位領域当たりの最大ドット数より低くして、片面印刷と両面印刷とで単位領域当たりの最大ドット数を異ならせたインクジェット記録装置が知られている（特許文献２）。
【０００５】
また、入力された多値画像データから、インクの吐出に対応した記録データを生成し、記録データから所定領域に対して吐出されるインクの量に関するデータを算出して、インクの量に関するデータと所定の値とを比較して、インクの量に関するデータが所定の値以下となるように制御して、カール現象の発生を抑制するインクジェット記録装置が知られている（特許文献３）。
【特許文献１】特開平６−１９８８６８号公報
【特許文献２】特開２００２−３６５２８号公報
【特許文献３】特開２００２−６７３５７号公報
【発明の開示】
【発明が解決しようとする課題】
【０００６】
ところで、記録用紙の余白部分の大きさによって、用紙カールの挙動が変化する。しかしながら、上記の特許文献１〜特許文献３に記載のインクジェット記録装置では、記録用紙の余白部分の大きさを考慮していないため、カールの発生を精度高く予測することができず、的確にカールの発生を抑制するための処理を施すことができない、という問題がある。
【０００７】
本発明は、上記の問題点を解決するためになされたもので、記録用紙のカールの発生を高精度に予測し、的確にカールの発生を抑制するための処理を行うようにすることができる液滴吐出装置及び液滴吐出方法を提供することを目的とする。
【課題を解決するための手段】
【０００８】
上記の目的を達成するために第１の発明に係る液滴吐出装置は、記録用紙に液滴を吐出するための液滴吐出ヘッドと、入力された画像データに基づいて、前記液滴吐出ヘッドによって前記記録用紙に液滴が吐出される領域の大きさを算出する吐出領域算出手段と、前記吐出領域算出手段によって算出された領域の大きさと前記記録用紙の大きさとに基づいて、前記記録用紙の余白割合を算出する余白割合算出手段と、前記余白割合算出手段によって算出された余白割合が所定の余白割合以下であると、前記液滴吐出ヘッドの液滴吐出によって画像が記録された前記記録用紙において用紙カールが発生すると判定する判定手段とを含んで構成されている。
【０００９】
また、第２の発明に係る液滴吐出方法は、記録用紙に液滴を吐出するための液滴吐出ヘッドを含む液滴吐出装置における液滴吐出方法であって、入力された画像データに基づいて、前記液滴吐出ヘッドによって前記記録用紙に液滴が吐出される領域の大きさを算出し、前記算出された領域の大きさと前記記録用紙の大きさとに基づいて、前記記録用紙の余白割合を算出し、前記算出された余白割合が所定の余白割合以下であると、前記液滴吐出ヘッドの液滴吐出によって画像が記録された前記記録用紙において用紙カールが発生すると判定することを特徴としている。
【００１０】
第１の発明及び第２の発明によれば、入力された画像データに基づいて、液滴吐出ヘッドによって記録用紙に液滴が吐出される領域の大きさを算出し、算出された領域の大きさと記録用紙の大きさとに基づいて、記録用紙の余白割合を算出する。そして、算出された余白割合が所定の余白割合以下であると、液滴吐出ヘッドの液滴吐出によって画像が記録された記録用紙において用紙カールが発生すると判定する。
【００１１】
従って、記録用紙の余白割合を算出し、余白割合が小さい場合に、用紙カールが発生すると判定することにより、記録用紙の余白部分を考慮して、記録用紙のカールの発生を高精度に予測することができ、また、記録用紙のカールの発生が予測されるときに、的確にカールの発生を抑制するための処理を行うようにすることができる。
【００１２】
また、第１の発明に係る吐出領域算出手段は、記録用紙の縦方向及び横方向の何れか一方向における液滴が吐出される領域の長さを算出し、余白割合算出手段は、吐出領域算出手段によって算出された液滴が吐出される領域の長さと記録用紙の一方向の長さとに基づいて、記録用紙の余白割合を算出することができる。これにより、用紙カールの発生する方向に直交する方向において、余白割合を算出して、記録用紙のカールの発生を高精度に予測することができる。
【００１３】
また、第１の発明に係る液滴吐出装置は、記録用紙を収納する用紙トレイ内の湿度を検出する湿度検出手段を更に含み、判定手段は、余白割合算出手段によって算出された余白割合が所定の余白割合以下であり、かつ、湿度検出手段によって検出された湿度が所定の湿度以下であると、液滴吐出ヘッドの液滴吐出によって画像が記録された記録用紙において用紙カールが発生すると判定することができる。これにより、用紙トレイ内の湿度と余白割合とに基づいて、記録用紙のカールの発生を判定するため、記録用紙のカールの発生を更に高精度に予測することができる。
【００１４】
また、第１の発明に係る記録用紙は、複数種類であって、判定手段は、余白割合算出手段によって算出された余白割合が所定の余白割合以下であり、かつ、記録用紙が所定の種類であると、液滴吐出ヘッドの液滴吐出によって画像が記録された記録用紙において用紙カールが発生すると判定することができる。これにより、記録用紙の種類と余白割合とに基づいて、記録用紙のカールの発生を判定するため、記録用紙のカールの発生を更に高精度に予測することができる。
【００１５】
第３の発明に係る液滴吐出装置は、記録用紙に液滴を吐出するための液滴吐出ヘッドと、入力された画像データに基づいて、前記液滴吐出ヘッドによって前記記録用紙に液滴が吐出される領域の大きさを算出する吐出領域算出手段と、前記吐出領域算出手段によって算出された領域の大きさと前記記録用紙の大きさとに基づいて、前記記録用紙の吐出領域割合を算出する吐出領域割合算出手段と、前記吐出領域割合算出手段によって算出された吐出領域割合が所定の領域割合以上であると、前記液滴吐出ヘッドの液滴吐出によって画像が記録された前記記録用紙において用紙カールが発生すると判定する判定手段とを含んで構成されている。
【００１６】
また、第４の発明に係る液滴吐出方法は、記録用紙に液滴を吐出するための液滴吐出ヘッドを含む液滴吐出装置における液滴吐出方法であって、入力された画像データに基づいて、前記液滴吐出ヘッドによって前記記録用紙に液滴が吐出される領域の大きさを算出し、前記算出された領域の大きさと前記記録用紙の大きさとに基づいて、前記記録用紙の吐出領域割合を算出し、前記算出された吐出領域割合が所定の領域割合以上であると、前記液滴吐出ヘッドの液滴吐出によって画像が記録された前記記録用紙において用紙カールが発生すると判定することを特徴としている。
【００１７】
第３の発明及び第４の発明によれば、入力された画像データに基づいて、液滴吐出ヘッドによって記録用紙に液滴が吐出される領域の大きさを算出し、算出された液滴が吐出される領域の大きさと記録用紙の大きさとに基づいて、記録用紙の吐出領域割合を算出する。そして、算出された吐出領域割合が所定の領域割合以上であると、液滴吐出ヘッドの液滴吐出によって画像が記録された記録用紙において用紙カールが発生すると判定する。
【００１８】
従って、記録用紙の吐出領域割合を算出し、吐出領域割合が大きい場合に、用紙カールが発生すると判定することにより、記録用紙の余白部分を考慮して、記録用紙のカールの発生を高精度に予測することができ、また、記録用紙のカールの発生が予測されるときに、的確にカールの発生を抑制するための処理を行うようにすることができる。
【００１９】
また、第３の発明に係る吐出領域算出手段は、記録用紙の縦方向及び横方向の何れか一方向に対する液滴が吐出される領域の長さを算出し、吐出領域割合算出手段は、吐出領域算出手段によって算出された液滴が吐出される領域の長さと記録用紙の一方向の長さとに基づいて、記録用紙の吐出領域割合を算出することができる。これにより、用紙カールが発生する方向に直交する方向において、吐出領域割合を算出して、記録用紙のカールの発生を高精度に予測することができる。
【００２０】
また、第３の発明に係る液滴吐出装置は、記録用紙を収納する用紙トレイ内の湿度を検出する湿度検出手段を更に含み、判定手段は、吐出領域割合算出手段によって算出された吐出領域割合が所定の領域割合以下であり、かつ、湿度検出手段によって検出された湿度が所定の湿度以下であると、液滴吐出ヘッドの液滴吐出によって画像が記録された記録用紙において用紙カールが発生すると判定することができる。これにより、用紙トレイ内の湿度と吐出領域割合とに基づいて、記録用紙のカールの発生を判定するため、記録用紙のカールの発生を更に高精度に予測することができる。
【００２１】
また、第３の発明に係る記録用紙は、複数種類であって、判定手段は、吐出領域割合算出手段によって算出された吐出領域割合が所定の領域割合以下であり、かつ、記録用紙が所定の種類であると、液滴吐出ヘッドの液滴吐出によって画像が記録された記録用紙において用紙カールが発生すると判定することができる。これにより、記録用紙の種類と吐出領域割合とに基づいて、記録用紙のカールの発生を判定するため、記録用紙のカールの発生を更に高精度に予測することができる。
【００２２】
第１の発明及び第３の発明に係る液滴吐出装置は、判定手段によって、液滴吐出ヘッドの液滴吐出によって画像が記録された記録用紙において用紙カールが発生すると判定されると、用紙カールが発生することを抑制するカール抑制処理を行うカール抑制手段を更に含むことができる。これにより、記録用紙のカールの発生が予測されるときに、カールの発生を抑制することができる。
【００２３】
また、液滴は、インク又は処理液からなり、カール抑制手段は、液滴吐出ヘッドによって吐出されるインク及び処理液の量を減少させることができる。これにより、インク及び処理液の量を減少させて、カールの発生を抑制することができる。
【００２４】
なお、処理液は、液滴の成分を凝集させる作用及び不溶化させる作用の少なくとも一方を有する水溶液であることを特徴としている。
【００２５】
また、上記のカール抑制手段は、液滴吐出ヘッドによって記録用紙に液滴が吐出されるドット数を減らすように、画像データを補正することができる。このように画像データを補正することにより、液滴の量を減少させて、カールの発生を抑制することができる。
【００２６】
また、上記のカール抑制手段は、液滴吐出ヘッドによって記録用紙に液滴が吐出される領域を縮小するように、画像データを補正することができる。このように画像データを補正することにより、液滴の量を減少させると共に、余白割合を大きくして、カールの発生を抑制することができる。
【００２７】
また、上記の液滴吐出装置は、予め定められた複数の画像記録モードから何れかの画像記録モードを設定する画像記録モード設定手段を更に含み、カール抑制処理は、複数であって、カール抑制手段は、液滴吐出ヘッドの液滴吐出によって画像が記録された記録用紙において用紙カールが発生すると判定されると、画像記録モード設定手段によって設定された画像記録モードに応じて、複数のカール抑制処理の何れかを行うことができる。これにより、設定された画像記録モードに適したカール抑制処理を行うことができる。
【００２８】
また、上記の液滴吐出ヘッドの吐出領域を、記録用紙幅とすることができる。
【発明の効果】
【００２９】
以上説明したように、本発明の液滴吐出装置及び液滴吐出方法によれば、記録用紙の余白割合又は吐出領域割合を算出し、余白割合が小さい場合又は吐出領域割合が大きい場合に、用紙カールが発生すると判定することにより、記録用紙の余白部分を考慮して、記録用紙のカールの発生を高精度に予測することができ、また、記録用紙のカールの発生が予測されるときに、的確にカールの発生を抑制するための処理を行うようにすることができる、という効果が得られる。
【発明を実施するための最良の形態】
【００３０】
以下、本発明の実施の形態について図面を参照して詳細に説明する。本実施の形態では、インクジェット記録装置に本発明を適用した場合を例に説明する
図１に示すように、第１の実施の形態に係るインクジェット記録装置１０は、記録用紙Ｐにインク滴を吐出するインクジェットヘッドユニット１２を備えており、インクジェットヘッドユニット１２は、シアン（Ｃ）、マゼンタ（Ｍ）、イエロー（Ｙ）、黒（Ｋ）の４色の水性の染料または顔料インク各々及び処理液をノズルから吐出するインクジェットヘッド（図示省略）を備えている。また、処理液としてはインク内の染料または顔料を不溶化させ、増粘させ、又は凝集させるための成分を含み、且つ、透明又は淡色のものが用いられる。
【００３１】
例えば、アニオン性基を有する顔料を含有するインクに対しては、処理液中に電解質又はカチオン性化合物等を含有させておけばよい。本発明において有効に用いられる電解質としては、リチウムイオン、ナトリウムイオン、カリウムイオン等のアルカリ金属イオン及び、アルミニウムイオン、バリウムイオン、カルシウムイオン、銅イオン、鉄イオン、マグネシウムイオン、マンガンイオン、ニッケルイオン、スズイオン、チタンイオン、亜鉛イオン等の多価金属イオンと、塩酸、臭酸、ヨウ化水素酸、硫酸、硝酸、リン酸、チオシアン酸、及び、酢酸、蓚酸、乳酸、フマル酸、フマル酸、クエン酸、サリチル酸、安息香酸等の有機カルボン酸及び、有機スルホン酸の塩等が挙げられる。
【００３２】
インクジェットヘッドは記録用紙Ｐの幅に相当する有効印刷領域を有する長尺のヘッドで、記録用紙Ｐの幅方向に複数のノズルが配列されており、記録用紙Ｐの幅方向の印刷領域に一斉にインク滴及び処理液の滴を吐出するようになっている。また、インクジェットヘッドのノズルからインク滴を吐出させる方式は、圧電素子でインク室を加圧する方式やサーマル方式等の公知の方式を適用可能である。
【００３３】
なお、インクジェットヘッドユニット１２にインクジェットヘッドを主走査方向へ移動させる主走査機構を設け、有効印刷領域が記録用紙Ｐの幅より小さいインクジェットヘッドを適用してもよい。
【００３４】
インクジェット記録装置１０の最下部には、給紙トレイ１６が挿抜可能に設けられており、給紙トレイ１６には、記録用紙Ｐが積載されており、最上位の記録用紙Ｐにはピックアップロール１８が当接している。記録用紙Ｐは、ピックアップロール１８によって１枚ずつ給紙トレイ１６から搬送方向下流側へ給紙され、搬送経路に沿って順に配設された搬送ロール２０、２２によってインクジェットヘッドユニット１２の下方へ給紙される。
【００３５】
また、給紙トレイ１６内には、給紙トレイ１６内の湿度を検出するための湿度センサ５０と、給紙トレイ１６内を加湿することにより、記録用紙Ｐを加湿するための加湿器５２とが設けられている。
【００３６】
また、インクジェットヘッドユニット１２の下方には、無端状の搬送ベルト２４が配設されており、搬送ベルト２４は、駆動ロール２６及び従動ロール３０に張架されている。また、従動ロール３０は接地されている。
【００３７】
また、記録用紙Ｐが搬送ベルト２４に接触する位置の上流側に、直流電源を供給する直流電源装置３４が接続された帯電ロール３２が配置されている。帯電ロール３２は、従動ロール３０との間で搬送ベルト２４を挟みつつ従動し、搬送ベルト２４に接触する接触位置と、搬送ベルト２４から離間した離間位置との間を移動可能とされている。接触位置では、接地された従動ロール３０との間に所定の電位差が生じるため、搬送ベルト２４に対して放電し、電荷を与えるようになっている。これにより、搬送ベルト２４は記録用紙Ｐを静電吸着することができる。
【００３８】
また、帯電ロール３２より上流側には、搬送ベルト２４に帯電された電荷を除電するための除電ロール３６が設けられている。
【００３９】
また、インクジェットヘッドユニット１２の下流側には、記録用紙Ｐの排出経路を構成する複数の排出ロール対４０が設けられ、排出ロール対４０で構成された排出経路の先には、排紙トレイ４２が設けられている。
【００４０】
また、インクジェット記録装置１０には、ＣＰＵ、ＲＯＭ、及びＲＡＭから構成されるコントローラ６２が設けられており、コントローラ６２によって、インクジェットヘッドユニット１２、各種ロールを駆動する複数のモータ（図示省略）を含むインクジェット記録装置１０の全体を制御している。
【００４１】
次に、記録用紙Ｐが印刷された場合における記録用紙Ｐの余白及び印刷環境に基づく印刷後の用紙カール挙動の変化について図２を用いて説明する。
【００４２】
印刷２４時間後の記録用紙Ｐのカール状態を示しており、印刷環境が標準の場合とＡｚｏｎｅ（温度２８℃、湿度８５％）の場合とにおいて、印刷された記録用紙Ｐの余白割合が３％、１０％、及び２０％の各々となる場合の記録用紙Ｐのカール状態を示している。
【００４３】
ここで、余白割合が３％の場合を、点線で囲まれた領域が示しており、印刷後の記録用紙Ｐにおいて、丸々ほどの用紙カールが発生している。一方、余白割合が２０％と高い場合には、用紙カールがほとんど発生しない。
【００４４】
また、余白割合が１０％であっても、印字率（カバレッジ）が３０％以下の場合には、用紙カールの発生が抑制されるが、印字率が３０％より大きくなると、大きな用紙カールが発生するようになっている。
【００４５】
また、湿度が高い方が、用紙カールの発生が抑制されるようになっている。
【００４６】
次に、記録用紙Ｐにおける用紙カールの方向と余白との関係について説明する。印刷後の記録用紙Ｐにおける用紙カールが幅方向（横方向）に発生する場合、前後端の余白によって用紙カールが抑制されるため、幅方向に直交する方向である縦方向の余白割合が大きいほど、用紙カールを抑制するようになっている。一方、用紙カールが縦方向に発生する場合、左右端の余白によって用紙カールが抑制されるため、縦方向に直交する方向である横方向の余白割合が大きいほど、用紙カールを抑制するようになっている。
【００４７】
なお、用紙カールの方向は、記録用紙Ｐの紙の目の方向によって定まり、また、記録用紙Ｐのサイズによって、紙の目が変わるため、記録用紙Ｐのサイズによって、用紙カールの方向が変わるようになっている。
【００４８】
次に、第１の実施の形態に係るインクジェット記録装置１０の作用について説明する。なお、印刷された記録用紙Ｐにおいて、幅方向（横方向）の用紙カールが発生する場合について説明する。
【００４９】
まず、クライアントＰＣ（図示省略）において、ユーザによって画像データが生成、編集され、印刷指示と共に、画像データがインクジェット記録装置１０に入力されると、コントローラ６２において、図３に示す印刷処理ルーチンが実行される。
【００５０】
ステップ１００において、入力された画像データに基づいて、カバレッジを算出する。ここで、カバレッジは、記録用紙Ｐの面積に対する記録用紙Ｐがインクで覆われる面積の割合を示している。そして、ステップ１０２において、入力された画像データに基づいて、インク滴が吐出される吐出領域について、用紙カールが発生する方向に直交する方向である縦方向（前後方向）の長さを算出し、ステップ１０４で、ステップ１０２で算出された吐出領域の縦方向の長さと、記録用紙の縦方向の長さとに基づいて、記録用紙の縦方向の長さに対する吐出領域でない前後端の余白部分の縦方向の長さの割合である余白割合を算出する。
【００５１】
次のステップ１０６では、湿度センサ５０により給紙トレイ１６内の湿度を検出し、ステップ１０８において、ステップ１０４で算出された余白割合が２０％未満であるか否かを判定し、余白割合が２０％以上で、印刷された記録用紙に十分な余白がある場合には、カールが発生しないと判定し、ステップ１２８へ移行する。一方、余白割合が小さく、２０％未満である場合には、ステップ１１０で、記録用紙Ｐが普通紙であるか否かを判定する。
【００５２】
ここで、記録用紙の種類には、例えば、普通紙（薄紙）、コート紙、光沢紙（厚紙）があり、ユーザはクライアントＰＣのドライバにおいて、記録用紙の種類を設定すると共に、給紙トレイ１６に設定した種類の記録用紙Ｐをセットしておく。
【００５３】
記録用紙Ｐがコート紙、又は光沢紙であると、印刷された記録用紙Ｐにカールが発生しないと判定し、ステップ１２８へ移行するが、記録用紙Ｐが普通紙の場合には、ステップ１１２へ移行し、ステップ１００で算出されたカバレッジが３０％より大きいか否かを判定する。カバレッジが３０％以下と小さい場合には、印刷された記録用紙Ｐのカールの発生が抑制されると判定し、ステップ１２８へ移行するが、カバレッジが３０％より大きいと、ステップ１１４へ進む。
【００５４】
ステップ１１４では、ステップ１０６で検出された湿度が８０％未満であるか否かを判定し、給紙トレイ１６内の湿度が８０％以上の場合には、記録用紙Ｐのカールが発生しにくいと判定し、ステップ１１６で、ステップ１００で算出されたカバレッジが６０％より大きいか否かを判定する。カバレッジが６０％以下であると、湿度が高い状況では、記録用紙Ｐのカールの発生が抑制されると判定し、ステップ１２８へ移行するが、カバレッジが６０％より大きく、カバレッジが非常に高い場合には、湿度が高い状況でも、記録用紙Ｐのカールが発生するため、印刷された記録用紙Ｐにカールが発生すると判定し、ステップ１１８へ移行する。
【００５５】
また、上記のステップ１１４で、湿度が８０％未満であると、印刷された記録用紙Ｐにカールが発生すると判定し、ステップ１１８へ移行し、印刷モードが高画質モードであるか否かを判定する。ここで、印刷モードとして、通常印刷モード（ドラフト印刷モード又は高速印刷モード）と高画質モードとがあり、ユーザはクライアントＰＣにおいてドライバによって印刷モードを予め設定するようになっている。ステップ１１８で、印刷モードとして通常印刷モードが設定されていると、ステップ１２０において、インクジェットヘッドによって吐出されるインク及び処理液の量を減少させるように、入力された画像データを補正する。例えば、インク滴及び処理液の滴を吐出するドットの数が減少するように、画像データを間引いて補正して、ステップ１２８へ移行する。なお、画像データの補正では、例えば、インク滴及び処理液の滴を吐出するドットの数を画像全体から一律に減らして、カバレッジが３０％以下になるように間引けばよい。
【００５６】
一方、上記のステップ１１８で、高画質モードが設定されていると判定されると、ステップ１２２において、高画質モードにおけるカール抑制処理として、湿度調整処理が設定されているか否かを判定する。ここで、高画質モードでは画像データを補正することによる画質の低下を避けるために、高画質モードにおけるカール抑制処理が設けられており、ユーザは、クライアントＰＣのドライバにおいて、高画質モードにおけるカール抑制処理として、給紙トレイ１６内の湿度調整及び印刷後の記録用紙Ｐの拘束の何れかが設定されるようになっている。上記のステップ１２２において、湿度調整が設定されていると判定すると、ステップ１２４で、給紙トレイ１６内の湿度が所定の高湿度（例えば、７０％〜９０％）となるように加湿器５２によって加湿し、ステップ１２８へ移行する。
【００５７】
また、上記のステップ１２２で、高画質モードのカール抑制処理として、印刷後の記録用紙Ｐの拘束が設定されている場合には、印刷後に、搬送ベルト２４における静電吸着によって、記録用紙Ｐを拘束してカール発生抑制を矯正する時間を所定時間（例えば、１０秒）に設定し、ステップ１２８へ移行する。
【００５８】
そして、ステップ１２８において、入力された画像データ又はステップ１２０で補正された画像データに基づいて、印刷処理を行い、記録用紙Ｐに画像を印刷し、印刷処理ルーチンを終了する。
【００５９】
ここで、上記ステップ１２６で記録用紙Ｐの用紙拘束時間が設定されていた場合には、インクジェットヘッドユニット１２のインクジェットヘッドによって、記録用紙Ｐが印刷された後、搬送ベルト２４を停止し、搬送ベルト２４上のインクジェットヘッドの下流側で、記録用紙Ｐを静電吸着により拘束して矯正している状態を、設定された所定時間だけ維持し、所定時間経過すると、搬送ベルト２４を回動し、排出ロール対４０によって排紙トレイ４２に記録用紙Ｐを排出する。
【００６０】
以上説明したように、第１の実施の形態に係るインクジェット記録装置によれば、印刷された記録用紙の余白割合を算出し、余白割合が小さい場合に、用紙カールが発生すると判定することにより、記録用紙の余白部分を考慮して、記録用紙のカールの発生を高精度に予測することができ、また、記録用紙のカールの発生が予測されるときに、的確にカールの発生を抑制するための処理を行うようにすることができる。
【００６１】
また、記録用紙のカールが発生する方向に直交する方向において、余白割合を算出して、記録用紙のカールの発生を高精度に予測することができる。
【００６２】
また、給紙トレイ内の湿度と余白割合とに基づいて、記録用紙のカールの発生を判定するため、記録用紙のカールの発生を更に高精度に予測することができる。また、記録用紙の種類と余白割合とに基づいて、記録用紙のカールの発生を判定するため、記録用紙のカールの発生を更に高精度に予測することができる。
【００６３】
また、記録用紙のカールの発生が予測されるときに、カールの発生を抑制するための処理を行うことにより、カールの発生を抑制することができる。また、画像データを補正して、インク及び処理液の吐出量を減少させることにより、カールの発生を抑制することができる。
【００６４】
また、設定された印刷モードに応じて、カール抑制処理を行うことにより、適したカール抑制処理を行うことができる。特に、高画質モードの場合には、画像データを補正しないカール抑制処理を行うため、画質を低下させずに印刷することができる。
【００６５】
なお、上記の実施の形態では、インクジェット記録装置のコントローラにおいて、印刷処理ルーチンを実行する場合を例に説明したが、カバレッジや余白割合を算出する処理（上記ステップ１００〜ステップ１０４）や、カールが発生するか否かの判定処理（上記ステップ１０８〜ステップ１１６）、画像データの補正処理（上記ステップ１２０）については、クライアントＰＣのドライバにおいて実行するようにしてもよい。
【００６６】
また、画像データの補正処理では、インク滴及び処理液の液を吐出するドット数を減らす場合を例に説明したが、これに限定されるものではなく、インク滴及び処理液の液を吐出するドットのドット径を一律に小さくすることにより、インク及び処理液の吐出量を減少させるようにしてもよい。
【００６７】
また、縦方向の余白割合（前後端の余白割合）を算出する場合を例に説明したが、縦方向に記録用紙がカールする場合には、横方向の余白割合（左右端の余白割合）を算出して、横方向の余白割合に基づいて、印刷された記録用紙にカールが発生するか否かを判定するようにしてもよい。
【００６８】
また、カール抑制処理である湿度調整として、印刷する前に給紙トレイ内を加湿する場合を例に説明したが、これに限定されるものではなく、印刷後であって、排紙トレイに排出する前に、加湿器によって印刷された記録用紙を加湿するようにしてもよい。
【００６９】
また、印刷モードとして高画質モードが設定されている場合に、カール抑制処理として、用紙拘束及び加湿の何れか一方を行う場合を例に説明したが、これに限定されるものではなく、両方の処理を組み合わせるようにしてもよい。
【００７０】
また、湿度センサによって給紙トレイ内の湿度を検出する場合を例に説明したが、インクジェット記録装置内の他の位置の湿度を検出するようにしてもよい。
【００７１】
次に第２の実施の形態について説明する。なお、第１の実施の形態と同様の部分については、同一符号を付してその説明を省略する。
【００７２】
第２の実施の形態では、両面印刷を行っている点が第１の実施の形態と異なる。
【００７３】
図４に示すように、第２の実施の形態に係るインクジェット記録装置２１０は、反転機構２３０を備えており、反転機構２３０は、排出ロール対２３８、２４０によって構成された排出経路の途中に設けられた搬送ロール対２４２と、反転経路を構成する搬送ロール２４４とを備えている。
【００７４】
両面印刷を行う場合に、片面のみが印刷された記録用紙Ｐは、排出経路を途中まで搬送された後、搬送ロール対２４２が逆回転することにより、反転経路に搬送されるようになっている。そして、搬送ロール２４４によって反転経路を搬送された記録用紙Ｐは、搬送ロール２２によって、再びインクジェットヘッドユニット１２の下方へ給紙されるようになっている。
【００７５】
次に、第２の実施の形態に係る印刷処理ルーチンについて、図５を用いて説明する。なお、第１の実施の形態と同様の処理については同一符号を付して詳細な説明を省略する。
【００７６】
まず、ステップ２４８において、入力された画像データに基づいて、カバレッジを両面について算出し、ステップ２５０において、入力された画像データに基づいて、インク滴が吐出される吐出領域の縦方向の長さを両面について算出する。そして、ステップ２５２で、ステップ２５０で算出された吐出領域の縦方向の長さと、記録用紙の縦方向の長さとに基づいて、記録用紙の余白割合を両面について算出する。
【００７７】
次のステップ１０６では、湿度センサ５０により給紙トレイ１６内の湿度を検出し、ステップ２５４において、ステップ２５２で算出された余白割合が、表面及び裏面のいずれかの面で１５％未満であるか否かを判定し、両面とも余白割合が１５％以上で、印刷された記録用紙の両面に十分な余白がある場合には、用紙カールが発生しないと判定し、ステップ２６２へ移行する。一方、表面及び裏面のいずれかの面で、余白割合が小さく、１５％未満である場合には、ステップ１１０で、記録用紙Ｐが普通紙であるか否かを判定する。記録用紙Ｐがコート紙、又は光沢紙であると、印刷された記録用紙Ｐにカールが発生しないと判定し、ステップ２６２へ移行するが、記録用紙Ｐが普通紙の場合には、ステップ２５６へ移行し、ステップ２５４で余白割合が１５％未満と判定された面について、ステップ２４８で算出されたカバレッジが３０％より大きいか否かを判定する。余白割合が小さい面におけるカバレッジが３０％以下と小さい場合には、印刷された記録用紙Ｐのカールの発生が抑制されると判定し、ステップ２６２へ移行するが、余白割合が小さい面におけるカバレッジが３０％より大きいと、ステップ１１４へ進む。
【００７８】
ステップ１１４では、ステップ１０６で検出された湿度が８０％未満であるか否かを判定し、湿度が８０％以上の場合には、ステップ２５８で、ステップ２５４で余白割合が１５％未満と判定された面について、ステップ２４８で算出されたカバレッジが６０％より大きいか否かを判定する。カバレッジが６０％以下であると、用紙カールが抑制されると判定し、ステップ２６２へ移行するが、カバレッジが６０％より大きい場合には、湿度が高い状況でも、記録用紙Ｐのカールが発生するため、用紙カールが発生すると判定し、ステップ１１８へ移行する。
【００７９】
また、上記のステップ１１４で、湿度が８０％未満であると、用紙カールが発生すると判定し、ステップ１１８へ移行し、印刷モードが高画質モードであるか否かを判定する。ステップ１１８で、印刷モードとして通常印刷モードが設定されていると、ステップ２６０において、ステップ２５４で余白割合が１５％未満と判定された面について、インクジェットヘッドによって吐出されるインク及び処理液の量を減少させるように、入力された画像データを間引いて補正し、ステップ２６２へ移行する。
【００８０】
一方、上記のステップ１１８で、高画質モードが設定されていると判定されると、ステップ１２２において、高画質モードにおけるカール抑制処理として、湿度調整処理が設定されているか否かを判定し、湿度調整が設定されていると判定すると、ステップ１２４で、給紙トレイ１６内の湿度が所定の高湿度となるように加湿器５２によって加湿し、ステップ２６２へ移行する。
【００８１】
また、上記のステップ１２２で、高画質モードのカール抑制処理として、印刷後の記録用紙Ｐの拘束が設定されている場合には、印刷後に搬送ベルト２４における静電吸着で、記録用紙Ｐを拘束する時間を所定時間に設定し、ステップ２６２へ移行する。
【００８２】
そして、ステップ２６２において、入力された画像データ又はステップ２６０で補正された画像データに基づいて、両面印刷処理を行い、記録用紙Ｐの表面と裏面に画像を印刷し、印刷処理ルーチンを終了する。
【００８３】
以上説明したように、第２の実施の形態に係るインクジェット記録装置によれば、両面印刷において、印刷された記録用紙の余白割合を両面について算出し、何れかの面の余白割合が小さい場合に、用紙カールが発生すると判定することにより、記録用紙の余白部分を考慮して、記録用紙のカールの発生を高精度に予測することができ、また、記録用紙のカールの発生が予測されるときに、的確にカールの発生を抑制するための処理を行うようにすることができる。
【００８４】
また、記録用紙のカールの発生が予測されるときに、余白割合が小さい面に対して、用紙カールの発生を抑制するための画像データの補正処理を行うことにより、用紙カールの発生を抑制することができる。
【００８５】
次に、第３の実施の形態について説明する。なお、第１の実施の形態と同様の部分については、同一符号を付してその説明を省略する。
【００８６】
第３の実施の形態では、カール抑制処理として、余白割合を設定して、その範囲内に画像を収めるように画像データを圧縮する点が第１の実施の形態と異なる。
【００８７】
なお、インクジェット記録装置の構成は、第１の実施の形態と同様の構成であるため、構成に関する説明を省略する。
【００８８】
次に、第３の実施の形態に係る印刷処理ルーチンについて説明する。なお、第１の実施の形態と同様の処理については、同一符号を付して詳細な説明を省略する。
【００８９】
ステップ１００において、入力された画像データに基づいて、カバレッジを算出し、ステップ１０２において、インク滴が吐出される吐出領域の縦方向の長さを算出し、ステップ１０４で、記録用紙の余白割合を算出する。
【００９０】
次のステップ１０６では、給紙トレイ１６内の湿度を検出し、ステップ１０８において、余白割合が２０％未満であるか否かを判定し、余白割合が２０％以上である場合には、ステップ１２８へ移行するが、一方、余白割合が２０％未満である場合には、ステップ１１０で、記録用紙Ｐが普通紙であるか否かを判定する。記録用紙Ｐがコート紙、又は光沢紙であると、ステップ１２８へ移行するが、一方、記録用紙Ｐが普通紙の場合には、ステップ１１２へ移行する。
【００９１】
そして、ステップ１１２では、カバレッジが３０％より大きいか否かを判定し、カバレッジが３０％以下と小さい場合には、ステップ１２８へ移行するが、カバレッジが３０％より大きいと、ステップ１１４へ進む。ステップ１１４では、検出された湿度が８０％未満であるか否かを判定し、給紙トレイ１６内の湿度が８０％以上の場合には、ステップ１１６で、算出されたカバレッジが６０％より大きいか否かを判定し、カバレッジが６０％以下であると、ステップ１２８へ移行するが、カバレッジが６０％より大きく、カバレッジが非常に高い場合には、ステップ３００へ移行する。
【００９２】
また、上記のステップ１１４で、湿度が８０％未満であると判定されると、ステップ３００へ移行し、記録用紙Ｐの余白割合を２０％に設定し、ステップ３０２で、入力された画像データのインク滴吐出領域が、設定された余白割合に基づく余白部分の内側に縮小して収まるように画像データを圧縮する画像圧縮処理を行う。
【００９３】
そして、ステップ１２８において、入力された画像データ又はステップ３０２で画像圧縮処理が施された画像データに基づいて、印刷処理を行い、記録用紙Ｐに画像を印刷し、印刷処理ルーチンを終了する。
【００９４】
以上説明したように第３の実施の形態に係るインクジェット記録装置によれば、用紙カールの発生が予測される場合に、余白割合を大きく設定し、画像データのインク滴吐出領域が、設定された余白割合に基づく余白部分の内側に縮小して収まるように画像データを圧縮することにより、インク及び処理液の吐出量を減少させると共に、余白割合を大きくして、カールの発生を抑制することができる。
【００９５】
次に、第４の実施の形態について説明する。なお、第１の実施の形態乃至第３の実施の形態と同様の部分については、同一符号を付してその説明を省略する。
【００９６】
第４の実施の形態では、両面印刷を行うようになっている点が第３の実施の形態と異なる。
【００９７】
なお、インクジェット記録装置の構成は、第２の実施の形態と同様の構成であるため、構成に関する説明を省略する。
【００９８】
次に、第４の実施の形態に係る印刷処理ルーチンについて説明する。なお、第１の実施の形態乃至第３の実施の形態と同様の処理については、同一符号を付して詳細な説明を省略する。
【００９９】
まず、ステップ２４８において、入力された画像データに基づいて、カバレッジを両面について算出し、ステップ２５０において、インク滴が吐出される吐出領域の縦方向の長さを両面について算出し、ステップ２５２で、記録用紙の余白割合を両面について算出する。
【０１００】
次のステップ１０６では、湿度センサ５０により給紙トレイ１６内の湿度を検出し、ステップ２５４において、ステップ２５２で算出された余白割合が、表面及び裏面のいずれかの面で１５％未満であるか否かを判定し、両面とも余白割合が１５％以上である場合には、ステップ２６２へ移行する。一方、表面及び裏面のいずれかの面で、余白割合が１５％未満である場合には、ステップ１１０で、記録用紙Ｐが普通紙であるか否かを判定し、記録用紙Ｐがコート紙、又は光沢紙であると、ステップ２６２へ移行するが、記録用紙Ｐが普通紙の場合には、ステップ２５６へ移行する。
【０１０１】
ステップ２５６では、余白割合が１５％未満と判定された面について、算出されたカバレッジが３０％より大きいか否かを判定し、余白割合が小さい面におけるカバレッジが３０％以下と小さい場合には、ステップ２６２へ移行するが、余白割合が小さい面におけるカバレッジが３０％より大きいと、ステップ１１４へ進む。
【０１０２】
ステップ１１４では、検出された湿度が８０％未満であるか否かを判定し、湿度が８０％以上の場合には、ステップ２５８で、余白割合が１５％未満と判定された面について、算出されたカバレッジが６０％より大きいか否かを判定し、カバレッジが６０％以下であると、ステップ２６２へ移行するが、カバレッジが６０％より大きい場合には、ステップ４００へ移行する。
【０１０３】
また、上記のステップ１１４で、湿度が８０％未満であると、ステップ４００へ移行し、余白割合が１５％未満であると判定された面について、記録用紙Ｐの余白割合を１５％に設定し、ステップ４０２で、余白割合が１５％未満であると判定された面について、入力された画像データのインク滴吐出領域が、設定された余白割合に基づく余白部分の内側に縮小して収まるように画像データを圧縮する画像圧縮処理を行う。
【０１０４】
そして、ステップ２６２において、入力された画像データ又はステップ４０２で画像圧縮処理が施された画像データに基づいて、両面印刷処理を行い、記録用紙Ｐの表面及び裏面に画像を印刷し、印刷処理ルーチンを終了する。
【０１０５】
以上説明したように、第４の実施の形態に係るインクジェット記録装置によれば、カールの発生が予測される場合に、余白割合が小さい面に対して、余白割合を大きく設定し、画像データのインク滴吐出領域が、設定された余白割合に基づく余白部分の内側に縮小して収まるように画像データを圧縮することにより、インク及び処理液の吐出量を減少させると共に、余白割合を大きくして、カールの発生を抑制することができる。
【０１０６】
次に、第５の実施の形態について説明する。なお、第１の実施の形態及び第３の実施の形態と同様の部分については、同一符号を付してその説明を省略する。
【０１０７】
第５の実施の形態では、インク滴及び処理液の滴が吐出される領域の割合に基づいて、印刷された記録用紙にカールが発生するか否かを判定している点が第１の実施の形態及び第３の実施の形態と異なる。
【０１０８】
ここで、インク滴及び処理液の滴が吐出される領域の割合である吐出領域割合が大きければ、余白割合が小さくなるため、用紙カールが発生するようになり、一方、吐出領域割合が小さければ、余白割合が大きくなるため、用紙カールが発生しないようになる。
【０１０９】
なお、インクジェット記録装置の構成は、第１の実施の形態と同様の構成であるため、構成に関する説明を省略する。
【０１１０】
次に、第５の実施の形態に係る印刷処理ルーチンについて図８を用いて説明する。なお、第１の実施の形態及び第３の実施の形態と同様の処理については、同一符号を付して、詳細な説明を省略する。
【０１１１】
ステップ１００において、入力された画像データに基づいて、カバレッジを算出し、ステップ１０２において、インク滴が吐出される吐出領域の縦方向の長さを算出し、ステップ５００で、ステップ１０２で算出された吐出領域の縦方向の長さと、記録用紙の縦方向の長さとに基づいて、記録用紙の縦方向の長さに対する吐出領域の縦方向の長さの割合である吐出領域割合を算出する。
【０１１２】
次のステップ１０６では、給紙トレイ１６内の湿度を検出し、ステップ５０２において、吐出領域割合が８０％より大きいか否かを判定し、吐出領域割合が８０％以下である場合には、用紙カールが発生しないと判定し、ステップ１２８へ移行するが、一方、余白割合が８０％より大きい場合には、ステップ１１０で、記録用紙Ｐが普通紙であるか否かを判定する。記録用紙Ｐがコート紙、又は光沢紙であると、ステップ１２８へ移行するが、一方、記録用紙Ｐが普通紙の場合には、ステップ１１２へ移行する。
【０１１３】
そして、ステップ１１２では、カバレッジが３０％より大きいか否かを判定し、カバレッジが３０％以下と小さい場合には、ステップ１２８へ移行するが、カバレッジが３０％より大きいと、ステップ１１４へ進む。ステップ１１４では、検出された湿度が８０％未満であるか否かを判定し、給紙トレイ１６内の湿度が８０％以上の場合には、ステップ１１６で、算出されたカバレッジが６０％より大きいか否かを判定し、カバレッジが６０％以下であると、ステップ１２８へ移行するが、カバレッジが６０％より大きく、カバレッジが非常に高い場合には、用紙カールが発生すると判定し、ステップ５０４へ移行する。
【０１１４】
また、上記のステップ１１４で、湿度が８０％未満であると判定されると、用紙カールが発生すると判定し、ステップ５０４へ移行し、記録用紙Ｐの吐出領域割合を８０％に設定し、ステップ５０６で、入力された画像データのインク滴吐出領域が、設定された吐出領域割合に基づく吐出領域内に縮小して収まるように画像データを圧縮する画像圧縮処理を行う。
【０１１５】
そして、ステップ１２８において、入力された画像データ又はステップ５０６で画像圧縮処理が施された画像データに基づいて、印刷処理を行い、記録用紙Ｐに画像を印刷し、印刷処理ルーチンを終了する。
【０１１６】
以上説明したように、第５の実施の形態に係るインクジェット記録装置によれば、記録用紙の吐出領域割合を算出し、吐出領域割合が大きい場合に、用紙カールが発生すると判定することにより、記録用紙の余白部分を考慮して、記録用紙のカールの発生を高精度に予測することができ、また、記録用紙のカールの発生が予測されるときに、的確にカールの発生を抑制するための処理を行うようにすることができる。
【０１１７】
また、記録用紙のカールが発生する方向に直交する方向において、吐出領域割合を算出して、記録用紙のカールの発生を高精度に予測することができる。
【０１１８】
また、用紙トレイ内の湿度と吐出領域割合とに基づいて、記録用紙のカールの発生を判定するため、記録用紙のカールの発生を更に高精度に予測することができる。また、記録用紙の種類と吐出領域割合とに基づいて、記録用紙のカールの発生を判定するため、記録用紙のカールの発生を更に高精度に予測することができる。
【０１１９】
用紙カールの発生が予測される場合に、吐出領域割合を小さく設定し、画像データのインク滴吐出領域が、設定された吐出領域割合に基づく吐出領域内に縮小して収まるように画像データを圧縮することにより、インク及び処理液の吐出量を減少させると共に、余白割合を大きくして、カールの発生を抑制することができる。
【図面の簡単な説明】
【０１２０】
【図１】本発明の第１の実施の形態に係るインクジェット記録装置の構成を示す概略図である。
【図２】記録用紙が印刷された場合における記録用紙の余白割合及び印刷環境に基づく印刷後の用紙カール挙動の変化を示すグラフである。
【図３】本発明の第１の実施の形態に係るインクジェット記録装置の印刷処理ルーチンの内容を示すフローチャートである。
【図４】本発明の第２の実施の形態に係るインクジェット記録装置の構成を示す概略図である。
【図５】本発明の第２の実施の形態に係るインクジェット記録装置の印刷処理ルーチンの内容を示すフローチャートである。
【図６】本発明の第３の実施の形態に係るインクジェット記録装置の印刷処理ルーチンの内容を示すフローチャートである。
【図７】本発明の第４の実施の形態に係るインクジェット記録装置の印刷処理ルーチンの内容を示すフローチャートである。
【図８】本発明の第５の実施の形態に係るインクジェット記録装置の印刷処理ルーチンの内容を示すフローチャートである。
【符号の説明】
【０１２１】
１０、２１０  インクジェット記録装置
１２  インクジェットヘッドユニット
１６  給紙トレイ
２４  搬送ベルト
４２  排紙トレイ
５０  湿度センサ
５２  加湿器
６２  コントローラ
Ｐ  記録用紙
【図１】
2007307763.tif 000003
【図２】
2007307763.tif 000004
【図３】
2007307763.tif 000005
【図４】
2007307763.tif 000006
【図５】
2007307763.tif 000007
【図６】
2007307763.tif 000008
【図７】
2007307763.tif 000009
【図８】
2007307763.tif 000010